【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
複数の非リアルタイム処理ユニット（ＰＵ）および複数のリアルタイムＰＵを有するデバイスにおける熱緩和の方法であって、
前記複数のリアルタイムＰＵおよび前記複数の非リアルタイムＰＵの各々を第１の電源に接続することと、
前記複数の非リアルタイムＰＵのうちの１つを除いて前記複数の非リアルタイムＰＵの各々を前記第１の電源から切り離して１つのアクティブ非リアルタイムＰＵにすること、
前記第１の電源から電力を得る第２の電源を前記アクティブ非リアルタイムＰＵに接続すること、ここにおいて前記第２の電源によって供給される電圧は前記第１の電源によって供給される電圧未満である、
前記デバイスの第１の温度測定値を取得することと、
前記第１の温度測定値がしきい値を超えていると判定することと、ここにおいて前記第２の電源を接続することは、前記第１の温度測定値が前記しきい値を超えていると判定することに応答するものである、
を備える熱緩和を行うことと、
を備える、方法。
【請求項２】
熱緩和を行うことは、前記電圧が最低電圧に到達するか、または測定温度が前記しきい値未満となるまで、前記第２の電源によって供給される前記電圧を減少させることをさらに備える、請求項１に記載の方法。
【請求項３】
熱緩和を行うことは、
前記第２の電源によって供給される前記電圧が前記最低電圧以下であると判定することと、
前記第２の電源によって供給される前記電圧が前記最低電圧以下であると判定することに応答して、前記複数の非リアルタイムＰＵの間でアクティブ状態を交替させることと
をさらに備える、請求項２に記載の方法。
【請求項４】
前記第１の電源はスイッチモード電源であり、前記第２の電源は低ドロップアウト電圧レギュレータであり、好ましくは、
前記複数の非リアルタイムＰＵの各々はマルチコアプロセッサにおけるコアを備え、前記リアルタイムＰＵのうちの少なくとも１つはワイヤレスモデムを備える、請求項１に記載の方法。
【請求項５】
前記デバイスの第２の温度測定値を取得することと、
前記第２の温度測定値が前記しきい値未満であると判定することと、
前記第２の温度測定値が前記しきい値未満であると前記判定することに応答して、前記複数の非リアルタイムＰＵを各々前記第１の電源に再接続することと
をさらに備える、請求項３に記載の方法。
【請求項６】
非リアルタイムＰＵを切り離すことは、前記第１の電源に接続された対応するスイッチを開放することを備える、請求項１に記載の方法。
【請求項７】
第１の電源に結合するように構成された電圧レールと、
前記電圧レールに結合され、前記第１の電源から電力を得るように構成された第２の電源と、
スイッチを介して前記電圧レールに結合された少なくとも１つのリアルタイム処理ユニット（ＰＵ）と、
複数の非リアルタイムＰＵと、
第１の複数のスイッチと、
第２の複数のスイッチとを備え、前記複数の非リアルタイムＰＵの各々は並列導電パスを介して前記電圧レールに結合され、各並列導電パスのうちの第１のパスは前記第１の複数のスイッチにおける対応するスイッチを備え、各並列導電パスの第２のパスは前記第２の電源に直列に結合された前記第２の複数のスイッチにおける対応するスイッチを備える、システムオンチップ（ＳｏＣ）。
【請求項８】
第１の熱緩和状態において、前記第１の複数のスイッチの各々が開放されるように構成され、前記第２の複数のスイッチのうちの１つだけが閉じられて前記第２の電源を前記非リアルタイムＰＵのうちの１つだけに接続するように構成される、請求項７に記載のＳｏＣ。
【請求項９】
前記第１の電源はスイッチモード電源を備え、前記第２の電源は低ドロップアウト電圧レギュレータを備え、好ましくは、
前記複数の非リアルタイムＰＵの各々はマルチコアプロセッサにおけるコアであり、ここにおいて前記リアルタイムＰＵはワイヤレスモデムである、請求項７に記載のＳｏＣ。
【請求項１０】
前記第２の電源は一度に前記複数の非リアルタイムＰＵのうちの１つだけに電圧を供給するための必要な大きさにされる、または、
前記第２の電源によって供給される電圧は前記非リアルタイムＰＵのうちの前記１つのパフォーマンスを変えるために可変である、または
前記デバイスの第１の温度測定値を受け取り、
前記第１の温度測定値がしきい値を超えていると判定し、
前記第１の温度測定値が前記しきい値を超えていると判定することに応答して、制御信号を前記第２の電源に送り、前記第２の電源によって供給される前記電圧を減少させる
ように構成されたＰＵをさらに備える、請求項８に記載のＳｏＣ。
【請求項１１】
デバイスであって、
第１の電源と、
複数の非リアルタイム処理ユニット（ＰＵ）と、
第１の複数のスイッチであって、その各々が前記複数の非リアルタイムＰＵのうちの少なくとも１つおよび前記第１の電源の間に結合される、第１の複数のスイッチと、
前記第１の電源から電力を得る第２の電源と、
第２の複数のスイッチであって、その各々が前記複数の非リアルタイムＰＵのうちの少なくとも１つおよび前記第２の電源の間に結合される、第２の複数のスイッチと、
前記第１の電源に接続されたリアルタイムＰＵと、
しきい値を超えて連続する前記デバイスの温度測定値に応答して前記第１の複数のスイッチの各々を連続的に開放するために前記第１の複数のスイッチを制御し、
前記第１の複数のスイッチの各々が開放されている間において一度に１つの非リアルタイムＰＵだけが前記第２の電源から電力を受け取ることを可能にするために前記第２の複数のスイッチを制御し、
ａ）前記デバイスの第１の温度測定値を受け取り、
ｂ）前記しきい値を超える前記第１の温度測定値に応答して、前記第２の電源によって供給される電圧を減少させるために前記第２の電源を制御する
ように構成された熱緩和ＰＵと、
を備えるデバイス。
【請求項１２】
前記熱緩和ＰＵは、前記第２の電源によって供給される電圧が最低電圧以下であるか、または前記第１の温度測定値のうちの１つが前記しきい値未満になるまで、ａ）およびｂ）を繰り返すように構成され、好ましくは、
前記熱緩和ＰＵは、
前記最低電圧以下である電圧を供給する前記第２の電源に応答して、
ｃ）前記デバイスの第２の温度測定値を受け取り、
ｄ）前記しきい値を超える前記第２の温度測定値に応答して、どの非リアルタイムＰＵが前記第２の電源から電力を受け取るかを交替させるために前記第２の複数のスイッチを制御するようにさらに構成され、さらに好ましくは、
前記熱緩和ＰＵは、前記第２の温度測定値のうちの１つが前記しきい値未満になるまで、（ｃ）および（ｄ）を繰り返すようにさらに構成される、請求項１１に記載のデバイス。
【請求項１３】
前記第１の電源は、スイッチモード電源を備え、前記第２の電源は低ドロップアウト電圧レギュレータを備え、好ましくは、
前記複数の非リアルタイムＰＵの各々はマルチコアプロセッサにおけるコアを備え、前記リアルタイムＰＵはワイヤレスモデムを備える、請求項１１に記載のデバイス。
【請求項１４】
前記第２の複数のスイッチを制御することは、前記第２の複数のスイッチのうちの第１のスイッチ以外の全てを開放して前記１つの非リアルタイムＰＵが前記第２の電源に接続されるように前記第１のスイッチを閉じるように制御信号を送ることを備える、請求項１１に記載のデバイス。
【請求項１５】
複数の非リアルタイム処理ユニット（ＰＵ）および複数のリアルタイムＰＵを有するデバイスにおいて熱緩和を行うためのコンピュータプログラムロジックを有形記録するコンピュータ可読媒体を有するコンピュータプログラム製品であって、前記コンピュータプログラム製品は、
請求項１乃至６のいずれかに記載の方法を実行するためのコード
を備える、コンピュータプログラム製品。
【手続補正２】
【補正対象書類名】明細書
【補正対象項目名】００５４
【補正方法】変更
【補正の内容】
【００５４】
[0058]  当業者が特定の応用に依存して、多くの修正、代替および変形が、それの主旨および範囲から逸脱することなく、本開示のデバイスの使用の方法、構成、装置、およびマテリアルにおよびそれらの範囲でなされることができることを理解することとなるであろう。このことを踏まえて、本開示の範囲は、単にそれらのいくつかの例として、本明細書で例示され、説明された特定の実施形態のそれに、限定されるべきでなく、むしろ、以下に添付された特許請求の範囲のそれに十分に相応するべきである。
以下に本願の出願当初の特許請求の範囲に記載された発明を付記する。
［Ｃ１］
複数の非リアルタイム処理ユニット（ＰＵ）および複数のリアルタイムＰＵを有するデバイスにおける熱緩和の方法であって、
前記複数のリアルタイムＰＵおよび前記複数の非リアルタイムＰＵの各々を第１の電源に接続することと、
前記複数の非リアルタイムＰＵのうちの１つを除いて前記複数の非リアルタイムＰＵの各々を前記第１の電源から切り離して１つのアクティブ非リアルタイムＰＵにすること、および
前記第１の電源から電力を得る第２の電源を前記アクティブ非リアルタイムＰＵに接続すること、ここにおいて前記第２の電源によって供給される電圧は前記第１の電源によって供給される電圧未満である、
を備える熱緩和を行うことと
を備える、方法。
［Ｃ２］
熱緩和を行うことは、
前記デバイスの第１の温度測定値を取得することと、
前記第１の温度測定値がしきい値を超えていると判定することと、ここにおいて前記第２の電源を接続することは、前記第１の温度測定値が前記しきい値を超えていると判定することに応答するものである、
をさらに備える、Ｃ１に記載の方法。
［Ｃ３］
熱緩和を行うことは、前記電圧が最低電圧に到達するか、または測定温度がしきい値未満となるまで、前記第２の電源によって供給される前記電圧を減少させることをさらに備える、Ｃ２に記載の方法。
［Ｃ４］
熱緩和を行うことは、
前記第２の電源によって供給される前記電圧が前記最低電圧以下であると判定することと、
前記第２の電源によって供給される前記電圧が前記最低電圧以下であると判定することに応答して、前記複数の非リアルタイムＰＵの間でアクティブ状態を交替させることと  をさらに備える、Ｃ３に記載の方法。
［Ｃ５］
前記第１の電源はスイッチモード電源であり、前記第２の電源は低ドロップアウト電圧レギュレータである、Ｃ１に記載の方法。
［Ｃ６］
前記複数の非リアルタイムＰＵの各々はマルチコアプロセッサにおけるコアを備え、前記リアルタイムＰＵのうちの少なくとも１つはワイヤレスモデムを備える、Ｃ５に記載の方法。
［Ｃ７］
前記デバイスの第２の温度測定値を取得することと、
前記第２の温度測定値が前記しきい値未満であると判定することと、
前記第２の温度測定値が前記しきい値未満であると判定することに応答して、前記複数の非リアルタイムＰＵを各々前記第１の電源に再接続することと
をさらに備える、Ｃ４に記載の方法。
［Ｃ８］
非リアルタイムＰＵを切り離すことは、前記第１の電源に接続された対応するスイッチを開放することを備える、Ｃ１に記載の方法。
［Ｃ９］
第１の電源に結合するように構成された電圧レールと、
前記電圧レールに結合され、前記第１の電源から電力を得るように構成された第２の電源と、
スイッチを介して前記電圧レールに結合された少なくとも１つのリアルタイム処理ユニット（ＰＵ）と、
複数の非リアルタイムＰＵと、
第１の複数のスイッチと、
第２の複数のスイッチとを備え、前記複数の非リアルタイムＰＵの各々は並列導電パスを介して前記電圧レールに結合され、各並列導電パスのうちの第１のパスは前記第１の複数のスイッチにおける対応するスイッチを備え、各並列導電パスの第２のパスは前記第２の電源に直列に結合された前記第２の複数のスイッチにおける対応するスイッチを備える、システムオンチップ（ＳｏＣ）。
［Ｃ１０］
第１の熱緩和状態において、前記第１の複数のスイッチの各々が開放されるように構成され、前記第２の複数のスイッチのうちの１つだけが閉じられて前記第２電源を前記非リアルタイムＰＵのうちの１つだけに接続するように構成される、Ｃ９に記載のＳｏＣ。
［Ｃ１１］
前記第２の電源は一度に前記複数の非リアルタイムＰＵのうちの１つだけに電圧を供給するための必要な大きさにされる、Ｃ１０に記載のＳｏＣ。
［Ｃ１２］
前記第１の電源はスイッチモード電源を含み、前記第２の電源は低ドロップアウト電圧レギュレータである、Ｃ９に記載のＳｏＣ。
［Ｃ１３］
前記複数の非リアルタイムＰＵの各々はマルチコアプロセッサにおけるコアであり、ここにおいて前記リアルタイムＰＵはワイヤレスモデムである、Ｃ１２に記載のＳｏＣ。
［Ｃ１４］
前記第２の電源によって供給される電圧は前記非リアルタイムＰＵの前記１つのパフォーマンスを変えるために可変である、Ｃ１０に記載のＳｏＣ。
［Ｃ１５］
前記デバイスの第１の温度測定値を受け取り、
前記第１の温度測定値がしきい値を超えていると判定し、
前記第１の温度測定値が前記しきい値を超えていると判定することに応答して、制御信号を前記第２の電源に送り、前記第２の電源によって供給される前記電圧を減少させるように構成されたＰＵをさらに備える、Ｃ１０に記載のＳｏＣ。
［Ｃ１６］
第１の電源と、
複数の非リアルタイム処理ユニット（ＰＵ）と、
第１の複数のスイッチであって、その各々が前記複数の非リアルタイムＰＵのうちの少なくとも１つおよび前記第１の電源の間に結合される、第１の複数のスイッチと、
前記第１の電源から電力を得る第２の電源と、
第２の複数のスイッチであって、その各々が前記複数の非リアルタイムＰＵのうちの少なくとも１つおよび前記第２の電源の間に結合される、第２の複数のスイッチと、
前記第１の電源に接続されたリアルタイムＰＵと、
しきい値を超えて連続する前記デバイスの温度測定値に応答して前記第１の複数のスイッチの各々を連続的に開放するために前記第１の複数のスイッチを制御し、
前記第１の複数のスイッチの各々が開放されている間において一度に１つの非リアルタイムＰＵだけが前記第２の電源から電力を受け取ることを可能にするために前記第２の複数のスイッチを制御し、
ａ）前記デバイスの第１の温度測定値を受け取り、
前記しきい値を超える前記第１の温度測定値に応答して、前記第２の電源を制御して前記第２の電源によって供給される電圧を減少させるために前記第２の電源を制御するように構成された熱緩和ＰＵと、
を備えるデバイス。
［Ｃ１７］
前記熱緩和ＰＵは、前記第２の電源によって供給される電圧が最低電圧以下であるか、または前記第１の温度測定値のうちの１つが前記しきい値未満になるまで、ａ）およびｂ）を繰り返すように構成される、前記Ｃ１６に記載のデバイス。
［Ｃ１８］
前記熱緩和ＰＵは、
前記最低電圧以下である電圧を供給する前記第２の電源に応答して、
ｃ）前記デバイスの第２の温度測定値を受け取り、
ｄ）前記しきい値を超える前記第２の温度測定値に応答して、前記第２の電源から電力を受け取る非リアルタイムＰＵを交替させるために前記第２の複数のスイッチを制御するようにさらに構成される、Ｃ１７に記載のデバイス。
［Ｃ１９］
前記熱緩和ＰＵは、前記第２の温度測定値のうちの１つが前記しきい値未満になるまで、（ｃ）および（ｄ）を繰り返すようにさらに構成される、Ｃ１８に記載のデバイス。
［Ｃ２０］
前記第１の電源は、スイッチモード電源であり、前記第２の電源は低ドロップアウト電圧レギュレータである、Ｃ１６に記載のデバイス。
［Ｃ２１］
前記複数の非リアルタイムＰＵの各々はマルチコアプロセッサにおけるコアを備え、前記リアルタイムＰＵはワイヤレスモデムを備える、Ｃ２０に記載のデバイス。
［Ｃ２２］
前記第２の複数のスイッチを制御することは、
前記第２の複数のスイッチのうちの第１のスイッチ以外の全てを開放して前記１つの非リアルタイムＰＵが前記第２の電源に接続されるように前記第１のスイッチを閉じるように制御信号を送ることを備える、Ｃ１６に記載のデバイス。
［Ｃ２３］
複数の非リアルタイム処理ユニット（ＰＵ）および複数のリアルタイムＰＵを有するデバイスにおいて熱緩和を行うためのコンピュータプログラムロジックを有形記録するコンピュータ可読媒体を有するコンピュータプログラム製品であって、
前記複数の非リアルタイム処理ユニット（ＰＵ）および複数のリアルタイムＰＵの各々を第１の電源に接続するためのコードと、
１つの非リアルタイムＰＵだけがアクディブになるまで、複数の非リアルタイムＰＵを前記第１の電源から連続的に切り離すためのコードと、
前記デバイスの第１の温度測定値を取得するためのコードと、
前記第１の温度測定値がしきい値を超えていると判定するためのコードと、
前記しきい値を超える前記第１の温度測定値に応答して、前記第１の電源から電力を得る第２の電源を前記アクティブな非リアルタイムＰＵに接続するコードと、ここにおいて前記第２の電源によって供給される電圧は前記第１の電源によって供給される電圧より低い、
を備える、コンピュータプログラム製品。
［Ｃ２４］
前記電圧が最低電圧に到達するか、または測定温度が前記しきい値未満になるまで、前記第２の電源によって供給される前記電圧を減少させるためのコードをさらに備える、Ｃ２３に記載のコンピュータプログラム製品。
［Ｃ２５］
前記第２の電源によって供給される前記電圧が前記最低電圧以下であると判定するためのコードと、
前記第２の電源によって供給される前記電圧が前記最低電圧以下であると判定することに応答して、前記複数の非リアルタイムＰＵの間でアクティブ状態を交替させるためのコードと
をさらに備える、Ｃ２４に記載のコンピュータプログラム製品。
［Ｃ２６］
前記第１の電源はスイッチモード電源（ＳＭＰＳ）を備え、前記第２の電源は低ドロップアウト（ＬＤＯ）電圧レギュレータを備える、Ｃ２３に記載のコンピュータプログラム製品。
［Ｃ２７］
前記複数の非リアルタイムＰＵの各々はマルチコアプロセッサにおけるコアを備え、前記リアルタイムＰＵのうちの少なくとも１つはワイヤレスモデムを備える、Ｃ２６に記載のコンピュータプログラム製品。
［Ｃ２８］
前記複数の非リアルタイムＰＵ、前記複数のリアルタイムＰＵ、および前記第２の電源の各々は単一のダイ上に設置され、前記第１の電源は前記単一のダイ上に設置されない、Ｃ２３に記載のコンピュータプログラム製品。
［Ｃ２９］
前記デバイスの第２の温度測定値を取得するためのコードと、
前記第２の温度測定値が前記しきい値未満であると判定するためのコードと、
前記第２の温度測定値が前記しきい値未満であると判定することに応答して、前記複数のリアルタイムＰＵおよび前記複数の非リアルタイムＰＵの各々を前記第１の電源に再接続するためのコードと
をさらに備える、Ｃ２５に記載のコンピュータプログラム製品。
［Ｃ３０］
非リアルタイムＰＵを切り離すことは、前記第１の電源に結合された対応するスイッチを開放することを備える、Ｃ２３に記載のコンピュータプログラム製品。